(57)【要約】【課題】スピーカコードを固定することが容易であり、多種類のスピーカキャビネットに対応させることが容易にできるスピーカスタンド提供する。【解決手段】押出し成形された２本の支柱３、３を間隔を開けて台座２に立設し、２本の支柱３、３の間を挿通したねじ４、４をスピーカキャビネット１に固定されたナットに捩込むことにより、スピーカキャビネット１を２本の支柱３、３に固定する。【選択図】        図２
2005236711.tif 000002
【特許請求の範囲】
【請求項１】
押出し成形された２本の支柱を間隔を開けて台座に立設し、前記２本の支柱の間を挿通したねじをスピーカキャビネットに固定されたナットに捩込むことにより、スピーカキャビネットを前記２本の支柱に固定することを特徴とするスピーカスタンド。
【請求項２】
前記２本の支柱の断面をコ字型とし、前記コ字型の内面を対向させるように前記２本の支柱を前記台座に立設した請求項１のスピーカスタンド。
【請求項３】
前記支柱のコ字型内面にスピーカコードを這わせた請求項２のスピーカスタンド。
【請求項４】
前記２本の支柱のスピーカキャビネット側の前面に２本の支柱を架橋するように前面取付部材を取り付けた請求項１から３のいずれかに記載したスピーカスタンド。
【請求項５】
前記２本の支柱のスピーカキャビネットと反対側の後面に２本の支柱を架橋するように後面取付部材を取り付けた請求項１から４のいずれかに記載したスピーカスタンド。
【発明の詳細な説明】
【技術分野】
【０００１】
この発明はスピーカスタンドに関する。
【背景技術】
【０００２】
従来、スピーカキャビネットの高さ位置を調整可能としたスピーカスタンドが知られている。特開２００１−７８２８３号に提案されたスピーカスタンドの例を図８に示す。図８に示す台座２には円柱形の支柱１１が立設されている。クリップ１２はばねの弾力により支柱１１を挾持するが、図における左端を押さえて支柱１１を挾持している部分を開き支柱１１の軸回りの回動位置や高さを変え支柱１１を再び挾持させることができる。クリップ１２はＵ字型部材１３を傾斜角度および高さを調整可能に支持しており、このＵ字型部材１３にスピーカキャビネット１が固定される。
【０００３】
図９に示す他の従来のスピーカスタンドは台座２に収縮自在の支柱１４が立設されており、支柱１４の上端に取り付けられているアタッチメント１４ａにスピーカキャビネット１が取り付けられる。
【０００４】
図１０に示すさらに他の従来のスピーカスタンドは台座１５の一部が折り曲げられて支柱１５ａが形成されている。支柱１５ａに等間隔に設けられた穴１５ｂの任意の位置のものに挿通したねじ４をスピーカキャビネット１に固定されたナットに捩込みスピーカキャビネット１を支柱１５ａに固定する。
【特許文献１】特開２００１−７８２８３号公報、２〜３頁、図１
【発明の開示】
【発明が解決しようとする課題】
【０００５】
上記した従来のスピーカスタンドによると、スピーカコードの引き回しが困難であり、また、スピーカコードが乱雑になりやすいという欠点があった。さらに、スピーカスタンドにより、設置させるスピーカキャビネットのサイズ・質量が制限されて汎用性のある多様なスピーカスタンドを提供できないという問題があった。
【０００６】
この発明は上記した点に鑑みてなされたものであって、その目的とするところは、スピーカコードを固定することが容易であり、多種類のスピーカキャビネットに対応させることが容易にできるスピーカスタンド提供することにある。
【課題を解決するための手段】
【０００７】
この発明のスピーカスタンドは、押出し成形された２本の支柱を間隔を開けて台座に立設し、前記２本の支柱の間を挿通したねじをスピーカキャビネットに固定されたナットに捩込むことにより、スピーカキャビネットを前記２本の支柱に固定するものである。
【０００８】
また、前記スピーカスタンドにおいて、前記２本の支柱の断面をコ字型とし、前記コ字型の内面を対向させるように前記２本の支柱を前記台座に立設したものである。
【０００９】
また、前記スピーカスタンドにおいて、前記支柱のコ字型内面にスピーカコードを這わせたものである。
【００１０】
また、前記各スピーカスタンドにおいて、前記２本の支柱のスピーカキャビネット側の前面に２本の支柱を架橋するように前面取付部材を取り付けたものである。
【００１１】
また、前記各スピーカスタンドにおいて、前記２本の支柱のスピーカキャビネットと反対側の後面に２本の支柱を架橋するように後面取付部材を取り付けたものである。
【発明の効果】
【００１２】
この発明のスピーカスタンドによれば、支柱を押出し成型法で加工するため、高さの異なる種類のスピーカスタンドを容易に製作することができる。また、２本の支柱の間隔を変えることにより多種類のスピーカキャビネットに対応したスピーカスタンドを容易に製作することができる。
【００１３】
また、押出し成型した支柱を２本左右対称に配置することにより、支柱の内部に空間を持たせスピーカコードを支柱内壁面に固定して見栄え良く収納できる。
【００１４】
また、スピーカキャビネットを固定するねじは２本の支柱の任意の高さ位置で締着できるのでスピーカキャビネットの高さを無段階に設定できる。
【発明を実施するための最良の形態】
【００１５】
以下この発明を実施するための最良の形態を実施例に即して説明する。
【実施例１】
【００１６】
図１はこの発明の実施例１であるスピーカスタンドを示す分解斜視図、図２（ａ）は同スピーカスタンドの一部部材を除いて背面から見た斜視図、図２（ｂ）は図２（ａ）におけるＡ部拡大図、図３は同スピーカスタンドを背面から見た斜視図、図４は同スピーカスタンドを正面から見た斜視図である。
【００１７】
図に示す台座２には支柱３が２本間隔を開けて平行に立設されている。支柱３は押出し成形により加工されており、コ字形の断面は長さ方向に亘り同一である。そして、２本の支柱３の断面は対称形状となっている。
【００１８】
図１および図２に示すように２本の支柱３の間を挿通したねじ４、４をスピーカキャビネット１に固定されたナット１ａ、１ａに捩込むことにより、スピーカキャビネット１が２本の支柱３、３に固定される。また、図２（ｂ）に示すようにスピーカコード７は支柱３の内面に沿って這わせるように固定され台座２の下面側に導かれる。
【００１９】
その後、図３に示すように２本の支柱３、３のスピーカキャビネット１と反対側の後面に２本の支柱３、３を架橋するように後面取付部材５を取り付け、さらに２本の支柱３、３の上端部にキャップ６が取付けられる。後面取付部材５は化粧板としての機能を有し、支柱３の内面に沿って這わせたスピーカコードを隠す。
【００２０】
すなわち、図３および図４に示すようにスピーカスタンドにスピーカキャビネット１を組み付けた状態でスピーカコードは台座２の上側の部分に現れない。支柱３は押出し成形により加工されており、任意の長さに切断することにより多くの種類のスピーカキャビネットに対応するスピーカスタンドを容易に製作することができる。また、ねじ４を支柱３の任意の高さ位置で締着できるのでスピーカキャビネット１の高さ位置を無段階に設定することが可能である。
【００２１】
図５はこの発明の実施例２であるスピーカスタンドを示す分解斜視図である。この例では台座２に立設された２本の支柱３、３のスピーカキャビネット１と反対側の後面に２本の支柱３、３を架橋するように板状の後面取付部材９が取り付けられる。
【００２２】
そして、後面取付部材９の穴９ａ、９ａと２本の支柱３、３の間を挿通したねじ４、４がスピーカキャビネット１に固定されたナットにねじ込まれスピーカキャビネット１が後面取付部材９と共に２本の支柱３、３に固定される。
【００２３】
この例では後面取付部材９を介してスピーカキャビネット１を支柱３、３に取付けることによりスピーカキャビネット１を円滑に上下にスライドでき、また、後面取付部材９と支柱３、３との接触面積を大きくしてより強力にスピーカキャビネット１を支柱３、３に取付けることができる。
【００２４】
図６はこの発明の実施例３であるスピーカスタンドを示す分解斜視図である。この例では台座２に間隔を大きく開けて立設された２本の支柱３、３のスピーカキャビネット１と反対側の後面に２本の支柱３、３を架橋するように板状の後面取付部材９を長手方向が水平を向くように取り付けられる。２本の支柱３、３の間隔は図示の矢印で示す方向に広げられるようになっている。
【００２５】
そして、後面取付部材９の穴９ａ、９ａと２本の支柱３、３の間を挿通したねじ４、４がスピーカキャビネット１に固定されたナットにねじ込まれスピーカキャビネット１が後面取付部材９と共に２本の支柱３、３に固定される。この例では横方向に長いスピーカキャビネット１を安定した状態で支柱３、３に取付けることができる。
【００２６】
図７はこの発明の実施例４であるスピーカスタンドを示す分解斜視図である。この例では台座２に立設された２本の支柱３、３のスピーカキャビネット１側の前面に２本の支柱３、３を架橋するように前側が円弧形状の前面取付部材１０が取り付けられる。
【００２７】
そして、支柱３、３の間と前面取付部材１０の図示していな穴を挿通したねじ４、４がスピーカキャビネット１に固定されたナットにねじ込まれスピーカキャビネット１が前面取付部材１０と共に２本の支柱３、３に固定される。
【００２８】
この例では前面取付部材１０の前側の形状をスピーカキャビネット１の背面の形状に合わせることにより任意の形状のスピーカキャビネット１を支柱３、３に強固に取付けることができる。
【図面の簡単な説明】
【００２９】
【図１】この発明の実施例１であるスピーカスタンドを示す分解斜視図である。
【図２】図２（ａ）は同スピーカスタンドの一部部材を除いて背面から見た斜視図、図２（ｂ）は図２（ａ）におけるＡ部拡大図である。
【図３】同スピーカスタンドを背面から見た斜視図である。
【図４】同スピーカスタンドを正面から見た斜視図である。
【図５】この発明の実施例２であるスピーカスタンドを示す分解斜視図である。
【図６】この発明の実施例３であるスピーカスタンドを示す分解斜視図である。
【図７】この発明の実施例４であるスピーカスタンドを示す分解斜視図である。
【図８】従来のスピーカスタンドの例を示す斜視図である。
【図９】従来のスピーカスタンドの他の例を一部部材を透視して示す斜視図である。
【図１０】従来のスピーカスタンドのさらに他の例を示す斜視図である。
【符号の説明】
【００３０】
１  スピーカキャビネット、１ａ  ナット
２  台座
３  支柱
４  ねじ
５  後面取付部材
６  キャップ
７  スピーカコード
９  後面取付部材、９ａ  穴
１０  前面取付部材
１１  支柱
１２  クリップ
１３  Ｕ字型部材
１４  支柱、１４ａ  アタッチメント
１５  台座、１５ａ  支柱、１５ｂ  穴
【図１】
2005236711.tif 000003
【図２】
2005236711.tif 000004
【図３】
2005236711.tif 000005
【図４】
2005236711.tif 000006
【図５】
2005236711.tif 000007
【図６】
2005236711.tif 000008
【図７】
2005236711.tif 000009
【図８】
2005236711.tif 000010
【図９】
2005236711.tif 000011
【図１０】
2005236711.tif 000012